(57)【要約】  本発明は、ワ―ドシンボル情報を備えたストリームを備える、マルチメディア番組内のコンテンツを位置特定する方法を提供する。上記方法は、特定のワードシンボルを備える要求をユーザから受信する工程と、ワードシンボル情報を備えた上記ストリーム内の上記特定のワードシンボルの現在位置を判定する工程と、出現位置でワードシンボル情報と同期がとられている他の提示可能情報を判定する工程とを備える。ビデオ情報又はオーディオ情報と比較して、ワードシンボル情報を備えたストリームは備えるデータ量がずっと少なく、ワードシンボルの解析はずっと単純になるので、本発明は、番組コンテンツをサーチすることの複雑度を大きく単純化し、ハードウェアの要件を緩和し、ユーザ操作を容易にし、ユーザの個別の要件を満たす。
2007525900.tif 000002
【特許請求の範囲】
【請求項１】
ワ―ドシンボル情報を備えたストリームを備える、マルチメディア番組内のコンテンツを位置特定する方法であって、
a.  特定のワードシンボルを備える要求をユーザから受信する工程と、
b.  前記特定のワードシンボルが、ワードシンボル情報を備えたストリーム内に現れる位置を判定する工程と、
c.  前記位置で前記ワードシンボル情報と同期がとられた他の提示可能情報を判定する工程とを備えることを特徴とする方法。
【請求項２】
請求項１記載の方法であって、前記位置での前記番組コンテンツをユーザに向けて提示する工程を更に備えることを特徴とする方法。
【請求項３】
請求項１記載の方法であって、前記他の提示可能情報が、少なくともオーディオ情報又はビデオ情報を備えることを特徴とする方法。
【請求項４】
請求項１記載の方法であって、前記ワードシンボル情報がテキスト形式で存在することを特徴とする方法。
【請求項５】
請求項４記載の方法であって、前記他の提示可能情報が画像を備えることを特徴とする方法。
【請求項６】
請求項１記載の方法であって、前記ワードシンボルが画像形式で存在し、
前記ワードシンボル情報に相当するテキスト情報を得る工程を更に備えることを特徴とする方法。
【請求項７】
請求項１記載の方法であって、ワードシンボル情報を備えたストリーム内の前記コンテンツが階層化構造を有し、
前記位置を備える階層を判定する工程を更に備え、前記階層は特定の開始位置及び特定の終了位置を有し、工程ｃで判定される前記他の提示可能情報は、相当する開始位置及び相当する終了位置を有することを特徴とする方法。
【請求項８】
請求項１記載の方法であって、前記ユーザからの前記要求は、前記位置に対して、工程ｃで判定される前記他の提示可能情報が相当する開始位置及び相当する終了位置を有するように開始位置の情報及び終了位置の情報を更に備えることを特徴とする方法。
【請求項９】
請求項7又は８に記載の方法であって、
前記開始位置及び前記終了位置を有する番組セグメントを抽出する工程を更に備えることを特徴とする方法。
【請求項１０】
請求項９記載の方法であって、前記マルチメディア番組はSMILを介して統合化され、抽出する工程は、前記マルチメディア番組のSMIL表現文書を修正することによって前記番組を抽出する工程を備えることを特徴とする方法。
【請求項１１】
ワ―ドシンボル情報を備えたストリームを備える、マルチメディア番組内のコンテンツを位置特定する位置特定装置であって、
特定のワードシンボルを備える要求をユーザから受信する要求受信手段と、ワードシンボル情報を備えたストリーム内に前記特定のワードシンボルが現れる位置を判定するワードシンボル位置特定手段と、前記位置で前記ワードシンボル情報と同期がとられた他の提示可能情報を判定する同期位置特定手段とを備えることを特徴とする装置。
【請求項１２】
請求項11記載の装置であって、前記位置での番組コンテンツをユーザに提示する提示手段を更に備えることを特徴とする装置。
【請求項１３】
請求項11記載の装置であって、前記他の提示可能情報が、オーディオ情報及びビデオ情報の少なくとも一方を備えることを特徴とする装置。
【請求項１４】
請求項11記載の装置であって、前記ワードシンボル情報がテキスト形式で存在することを特徴とする装置。
【請求項１５】
請求項14記載の装置であって、前記他の提示可能情報が画像を備えることを特徴とする装置。
【請求項１６】
請求項11記載の装置であって、前記ワードシンボルが画像形式で存在し、ワードシンボル位置特定手段は、前記ワードシンボル情報に相当するテキスト情報を得るよう構成されることを特徴とする装置。
【請求項１７】
請求項11記載の装置であって、ワードシンボルを備えたストリーム内のコンテンツは階層化構造を有し、前記ワードシンボル位置特定手段は前記位置を備える階層を判定するよう構成され、前記同期位置特定手段によって判定される前記他の提示可能情報が相当する開始位置及び相当する終了位置を有するように前記階層は特定の開始位置及び特定の終了位置を有することを特徴とする装置。
【請求項１８】
請求項11記載の装置であって、前記ユーザからの前記要求は、前記位置に対して、同期位置特定手段によって判定される前記他の提示可能情報が相当する開始位置及び相当する終了位置を有するように開始位置の情報及び終了位置の情報を更に備えることを特徴とする装置。
【請求項１９】
マルチメディア番組をユーザに向けて再生する装置であって、
ワードシンボルを備えたストリームを備えるマルチメディア番組を受信するコンテンツ受信手段と、
前記受信マルチメディア番組をユーザに提示する提示手段と、
位置特定手段とを備え、該位置特定手段は、
特定のワードシンボルを備える要求をユーザから受信する要求受信手段と、
前記ワードシンボルを備えたストリーム内の前記特定のワードシンボルの出現位置を判定するワードシンボル位置特定手段と、
前記位置で前記ワードシンボルと同期がとられた他の提示可能情報を判定する同期位置特定手段とを備えることを特徴とする装置。
【請求項２０】
請求項19記載の手段であって、特定のセグメントを前記マルチメディア番組から抽出する抽出手段を更に備えることを特徴とする手段。
【発明の詳細な説明】
【技術分野】
【０００１】
本発明は番組コンテンツを位置特定する方法及び装置に関し、特に、マルチメディア番組のコンテンツによって位置特定する方法及び装置に関する。
【背景技術】
【０００２】
ビデオ・ストリーム及びオーディオ・ストリームに加えて、マルチメディア番組は一般に画像ストリーム及び/又はテキスト番組を備え、こうしたストリームは、特定の規則と、ユーザが楽しむための所定の時間系列とによって互いに同期化される。数多くのマルチメディア番組編集規則の中でも、同期化されたマルチメディア統合言語（SMIL）は、人気のある編集言語である。SMILは、マルチメディア番組のそれぞれのコンテンツ・ストリームを時間系列において統合化するのみならず、提示されているマルチメディア番組のレイアウトの管理にも用いられる。
【０００３】
マルチメディア番組の視聴中、ユーザは時には、特定の番組セグメントを見つける必要がある。例えば、ブッシュ大統領による清華大学での講演のマルチメディア番組の中のイラク関連部分を見つける必要がある。ユーザは、記録媒体を高速で順送り/巻き戻しを行って番組内の部分を位置特定することによってオーディオ・コンテンツを識別することが可能である。別の例として、ユーザは、オーストラリアの風景を描くマルチメディア記録番組内のシドニーオペラ劇場関連セグメントの直接ブラウジングを当てにする。このニーズを満たすために、マルチメディア再生装置は、シドニーオペラ劇場が現れると関連部分がユーザに向けて提示されるようにビデオ・ストリームのコンテンツのマッチング解析を自動的に行うことができる必要がある。
【０００４】
上記コンテンツ位置特定の処理において、ユーザは、位置特定を手作業で行う場合、セグメントの所望の位置を見つける前にサーチを繰り返し行わなければならず、これは時間がかかり、面倒になる。ユーザは、マルチメディア再生装置の自動スキャンによって位置特定を行う場合、サーチはビデオ及びオーディオのストリームの複雑度及び規模によって非常に困難になり、より複雑なハードウェアが必要になり、それによってユーザに対する費用が増大することになる。
【０００５】
更に、マルチメディア番組編集に便利なように、特に、マルチメディア・デモ番組編集のために、市場でUS  Accordent  Corporationによって開発されたPresenterOneやSofTV.  net  Corporationによって開発されたCanadian  Presentation  Makerなどの種々のオーサリング・ツールが存在している。こうしたツールによってマルチメディア・デモのテキスト・スライドのタイトルをユーザがリストの中に入れることが可能になり、ユーザはこうしたタイトルを索引として用いて、相当するセグメントを位置特定することが可能である。これによってサーチ処理がある程度単純になるが、上記編集ツールは、マルチメディア・デモ番組の制作に用いなければならない。更に、編集ツールは、ユーザが選ぶタイトル選択肢が非常に限られており、それによって、ユーザの選択の自由裁量が制限され、ユーザ・ベースの選択が不可能になってしまう。
【発明の開示】
【発明が解決しようとする課題】
【０００６】
したがって、欲しいセグメントをどれでも得ることによって個々の要求を満たすことができるようにマルチメディア番組内の番組コンテンツをユーザが好都合に位置特定することを可能にする、番組コンテンツを位置特定する新たな方法及び装置が必要である。
【課題を解決するための手段】
【０００７】
したがって、本発明の一目的は、マルチメディア番組内の番組コンテンツをユーザが好都合に位置特定して、欲しい特定セグメントを好都合に得ることを可能にする、従来技術の欠点を解消する、番組コンテンツを位置特定する新たな方法及び装置を提供することである。
【０００８】
本発明は、ワ―ドシンボル情報を備えたストリームを備える、マルチメディア番組内のコンテンツを位置特定する方法を提供する。上記方法は、第一に、特定のワードシンボルを備える要求をユーザから受信する工程と、次いで、特定のワードシンボルが、ワードシンボル情報を備えたストリーム内に現れる位置を判定する工程と、最後に、上記位置でワードシンボル情報と同期がとれている他の提示可能情報を判定する工程とを備える。他の提示可能情報は、ビデオ情報又はオーディオ情報であり得る。
【０００９】
ワードシンボル情報は、テキスト形式又は画像形式で存在し得る。画像形式で存在する場合、位置特定方法は、ワードシンボル情報に相当するテキスト情報を得る工程を更に備える。
【００１０】
ワードシンボル情報を備えたストリームは、階層化構造を有する場合がある。そうである場合、位置特定方法は、特定のワードシンボルが現れる位置を備え、特定の開始位置及び特定の終了位置を有する階層を、最後に判定される他の提示可能情報が相当する開始位置及び終了位置を有するように判定する工程を更に備える。
【００１１】
本発明は、ワ―ドシンボル情報を備えたストリームを有する、マルチメディア番組内のコンテンツを位置特定する装置を更に提供する。ワードシンボル情報は、テキスト形式又は画像形式で存在し得る。装置は、要求受信手段、ワードシンボル位置特定手段、及び同期位置特定手段を備える。
【００１２】
要求受信手段は、特定のワードシンボルを備える要求をユーザから受信するのに用い、ワードシンボル位置特定手段は、ワードシンボル情報を備えたストリームに特定のワードシンボルが現れる位置を判定するのに用い、同期位置特定手段は、上記位置に現れるワードシンボル情報と同期がとれている他の提示可能情報を判定するのに用いる。他の提示可能情報は、ビデオ情報又はオーディオ情報であり得る。
【００１３】
本発明は、マルチメディア番組内に備えられたワードシンボル情報を備えたストリームを解析することによって番組内のユーザ要求セグメントの位置を位置特定し、相当するビデオ・セグメント又はオーディオ・セグメントを同期化規則によって見つけるものである。テキスト・ストリームや画像ストリームなどの、ワードシンボル情報を備えたストリームは、ビデオやオーディオに対して含有データ量がずっと少なく、テキストの解析もピクチャやオーディオの解析よりもずっと単純である。したがって、本発明は番組コンテンツのサーチの複雑度を大きく削減し、ハードウェア要件を緩和し、ユーザ操作を便利にし、個々のユーザの種々のニーズを満たした。
【発明を実施するための最良の形態】
【００１４】
本発明の他の目的及び利点は、明らかになり、本発明は又、添付図面を参照して作成された本明細書及び特許請求の範囲によってより深く理解されるであろう。
【００１５】
本発明を、例示によって、かつ添付図面を参照して詳細に説明する。
【００１６】
添付図面全てにおいて、同じ参照符号は、同様又は同一の特徴及び機能を示す。
【実施例】
【００１７】
図１は、本発明の実施例による、マルチメディア番組内のコンテンツを位置特定する装置のシステム構成図を示す。装置１００は、マルチメディア番組制作装置（この図には図示せず）又はマルチメディア再生装置（この図には図示せず）の一部であり得る。装置１００は、要求受信モジュール１２０、テキスト位置特定モジュール１３０及び同期位置特定モジュール１４０を備える。装置１００は、コンテンツ受信モジュール１１０、提示モジュール１５０及び抽出モジュール１６０を更に備える。装置１００に備えられた上記モジュールは、その組み合わせが本発明の機能を行うことが可能である限り、当業者によって種々の既存モジュールによって実現可能である。
【００１８】
コンテンツ受信モジュール１１０は、ワードシンボル情報を備えたストリーム（（時には画像形式で伝送される、既存のマルチメディア・デモ番組内の補助デモ・ツールのスライド、例えば、パワーポイント・ファイルの１ページとして）ワードシンボル情報を有するテキスト・ストリームや画像ストリームなど）を備えたストリームを備えるマルチメディア番組を受信するのに用いる。マルチメディア番組は、DVDなどの局所記憶モジュール（この図には図示せず）からのものであってもウェブサーバ（この図には図示せず）からのものであってもよい。
【００１９】
要求受信モジュール１２０は、「Sydney  Opera  Theater」などの特定のワードシンボルを備える要求を受信するのに用いる。ユーザはこの要求によって、編集/鑑賞されているマルチメディア番組において、シドニーオペラ劇場に関するセグメント内で見つけることを望んでいる。マルチメディア番組は、ワードシンボル情報を備えたストリームを備える。
【００２０】
テキスト位置特定モジュール１３０は、マルチメディア番組内の特定のワードシンボルの位置を判定するのに用いる。モジュール１３０は、ワードシンボル情報を備えたストリーム内で「Sydney  Opera  Theater」などの特定のワードシンボルをサーチし、特定のワードシンボルが見つかった後、番組内のその位置に関する情報を得る。ワードシンボル情報を備えたストリームが画像ストリームの場合、モジュール１３０を更に用いて、画像ストリーム内のワードシンボル情報に相当するテキスト情報を得る。
【００２１】
同期位置特定モジュール１４０は、上記場所に現れるワ―ドシンボル情報と同期がとれている他の提示可能情報を判定するのに用いる。マルチメディア番組内の種々のコンテンツ・ストリームの時間的な同期化が理由で、一コンテンツ・ストリーム（テキスト・ストリームなど）内の場所についての位置情報によって、他のコンテンツ・ストリーム（ビデオ・ストリームやオーディオ・ストリームなど）内の場所の相当する位置を判定することが可能である。
【００２２】
提示モジュール１５０は、マルチメディア番組内の特定の位置における番組コンテンツをユーザに向けて提示するのに用いる。
【００２３】
抽出モジュール１６０は、特定のセグメントをマルチメディア番組から抽出するのに用いる。この実施例では、特定のセグメントは特定のテキスト情報を備え得る。
【００２４】
モジュール１００の実行処理を示す流れ図の詳細については、図２及び図３を参照されたい。
【００２５】
図２は、本発明の実施例による、マルチメディア番組内のコンテンツを位置特定する処理の流れ図である。まず、ワードシンボル情報を備えたストリームを備えるマルチメディア番組を工程２１０（S２１０）で得る。ワードシンボル情報はテキスト形式で存在している、例えば、マルチメディア・ディジタル・テレビ番組ストリームの場合、キャプションはデータ・ストリーム内にテキスト形式で存在している。マルチメディア・デモ番組ストリームの場合、デモのワード・コンテンツはテキスト・ストリーム内にテキスト形式で存在している。マルチメディア番組が比較的長い場合、この工程は位置特定処理全体が終了するまで終了しないことになる。
【００２６】
この実施例では、オーストラリアの風景についてのマルチメディア番組を例として採用する。この番組は、相当するコメンタリ・コンテンツを収容するテキスト・ストリームを備える。
【００２７】
次いで、「Sydney  Opera  Theater」などの特定のワードシンボルを備える要求がユーザから受信される（S２３０）。ユーザは、特定のワードシンボルがテキスト・ストリーム内の特定の位置に存在していることを当てにし、S２１０で得られたマルチメディア番組内に特定のワードシンボルを備えるセグメントを見つけることを望む。
【００２８】
次いで、特定のワードシンボルがテキスト・ストリーム内でサーチされ、テキスト・ストリーム内の特定の場所での出現が見つかったか否かが判断される（S２３０）。見つからなかった場合、処理は、このマルチメディア番組内に特定のワードシンボルが見つからなかった旨をユーザに通知し（S２３４）、処理全体は終了する。見つかった場合、処理は、出現した場所についての位置情報、例えば、番組の開始からの「01：03：06（時：分：秒）」の位置情報を得る（S２３８）。
【００２９】
その後、ビデオ・ストリーム内の特定のワードシンボルの相当する位置を、マルチメディア番組の特定の同期化規則に基づいて判定する（S２４０）。番組の開始から「01：03：06（時：分：秒）」でビデオが見つかった場合、その時点でのピクチャは多くの場合、コメンタリに相当するシドニーオペラ劇場風景を備えている。マルチメディア番組の同期化規則は変えることが可能であり、ここでは詳述しないものとする。
【００３０】
最後に、特定の位置でのビデオ・コンテンツをユーザに向けて提示する（S２５０）。特定の位置のピクチャは、ユーザが欲しているシドニーオペラ劇場風景を備えている。当然、マルチメディア番組のコンテンツ全て（この特定の位置でのビデオ/オーディオ、画像及びテキストなど）をユーザに向けて提示するか、又は、その別の部分（例えば、オーディオのみ）をユーザに向けて提示して個別のニーズを満たすことも可能である。
【００３１】
S２５０の提示処理では、この特定の場所が現れる前及び/又は後の期間内にビデオ・コンテンツを提示することも可能である。期間の持続時間は、ユーザによって決定される時間値でもよく、システムによって決定されるデフォールト値でもよい。ユーザは、S２２０の要求内に開始位置情報及び終了位置情報を備えることができ、それらは何れもユーザが当てにする特定の出現場所に相当する。
【００３２】
当然、この実施例のS240では、オーディオ・ストリーム又は画像ストリームの相当する位置において特定のワードシンボルが現れる位置を同期化規則によって判定することができる。ビデオ、オーディオや画像は、テキストよりも構成が複雑であり、こうしたものを解析し、位置特定する処理も、テキストの処理よりもずっと複雑である。よって、本発明において開発された位置特定方法が、オーディオ/ビデオによる従来技術手法のものよりもずっと単純であることが分かり得る。
【００３３】
上記位置特定処理では、「Sydney  Opera  Theater」などの特定のワードシンボルが上記テキスト・ストリーム内に多数回現れた場合、S２５０で特定の場所のビデオ・コンテンツをユーザに提示すると、ユーザには、サーチし続けるか否かを選択する機会が与えられる。サーチし続ける選択をした場合、サーチは、ユ―ザが所望する風景が見つかるか番組が終了するまで最後に見つけた特定の場所からの元のサーチ方向に沿って進むことになる。サーチし続けるか否かをユーザが決定する旨をユーザにプロンプトするよう画面上のプッシュボタンの形式でそうした選択機会を備えることが可能であり、ユーザの入力情報に回答してサーチは終了する。
【００３４】
図3は、本発明の別の実施例による、マルチメディア番組内のコンテンツを位置特定し、特定のセグメントを抽出する処理の流れ図である。まず、画像形式で存在するワードシンボル情報を備えたストリームを備えるマルチメディア番組が得られる（S３１０）。例えば、マルチメディア・デモ番組に関し、そのデモ・スライドはワードシンボル情報コンテンツを備え、画像ストリーム内に画像形式で存在する。マルチメディア番組が比較的長い場合、この工程は位置特定処理全体が終了するまで継続するものである。
【００３５】
表１は、ビデオ・ストリームと、ビデオ・ストリームと同期化された画像ストリームとを備えるマルチメディア・デモ番組のSMILスクリプトである。上記画像ストリームは、デモ・スライドと、スライド上のワードとを備え、このワードは画像形式になっている。
【００３６】
表１：マルチメディア・デモ番組
画像ストリームは、階層化構造を有しており、image1、image2、image3、image4、image5、image6、image7、image8及びimage9の９つの部分を備えている。各部分は１スライドに相当する。すなわち、ビデオ/オーディオが一般に、デモ処理中に常に変わり、各スライドが通常、一定期間、変わらない状態に保たれるという理由で、各部分はその特定の開始位置と、継続長とを有する。
【００３７】
画像形式で存在しているワードのテキスト解析を直接実施することが不可能であるため、画像ストリーム内のワードシンボル情報に相当するテキスト情報を得るのに特定の手段を用いることができる（S３２０）。この取得工程は、既存の光学式文字認識（OCR）手法によって行うことが可能である。次いで、特定のワードシンボルを備えた要求がユーザから受信される（S３３０）。特定のワードシンボルが上記マルチメディア番組ストリーム内の1つ又は複数の位置に存在することをユーザは当てにし、特定のワードシンボルを備えたセグメントを要求によって見つけ、抽出することを望む。
【００３８】
次いで、特定のワードシンボルが画像ストリームのワードシンボル情報内でサーチされ、特定の場所に出現した特定のワードシンボルが見つかったか否かを判断する（S３４０）。見つからなかった場合、特定のワードシンボルがこのマルチメディア番組内で見つからない旨をユーザは通知され（S３４４）、処理全体が終了する。見つかった場合、特定の場所に出現した情報が得られる（S３５０）。例えば、こうした特定のワードシンボルはimage2のワードシンボル情報内に現れ、image2の開始位置及び持続時間が得られる。
【００３９】
その後、特定のマルチメディア番組の同期化規則によって、ワードが出現する場所の、ビデオ・ストリーム内の相当する位置の判定が行われる（S３６０）。この時点で、相当するビデオ・ストリームの特定セグメントの開始位置及び持続時間はimage２の開始位置及び持続時間と同じである。
【００４０】
最後に、元のSMILスクリプトを、特定のセグメントの、得られた開始位置及び持続時間に基づいて修正して新たなSMILスクリプトを得る（S３７０）。このSMILスクリプトは見つかったセグメントのみを反映し、よって、ユーザが要求する特定セグメントをマルチメディア番組から抽出することが可能になる。修正されたSMILスクリプトを選択的に行うことによって、ユーザは、必要な特定セグメントを直接ブラウジングすることが可能である。
【００４１】
S360の後、サーチを進めることが必要か否かについて更なる判断を行うことが可能である（S３８０）。必要でない場合、抽出処理全体が終了する。必要な場合、処理はS３４０に戻り、次いで、ユーザが視聴したい次のセグメント又は番組が見つかるまで元のサーチ方向に沿って最後に見つかった特定の場所からサーチを続ける。マルチメディア番組が終了するか否かを自動的に判断することによって判断を行うことが可能であり、又は、決定は、ユーザによって、そうする旨をユーザにプロンプトすることによって行われる。
【００４２】
この実施例では、image2内で見つかった上記特定のテキスト情報に加えて、上記特定のテキスト情報はimage5及びimage8内でも見つかる。最後に得られる修正SMILスクリプトを表２に示す。SMILスクリプトに相当するマルチメディア番組セグメントは上記特定のテキスト情報を備える。
【００４３】
表2：マルチメディア番組の特定のセグメント１
ここで、
T1=t1、
T2=t1+t2+t3+t4、
T3=t1+t2+t3+t4+t5+t6+t7である。
【００４４】
この実施例では、マルチメディア番組のワードシンボル情報を備えたストリームは階層化構造を有している。階層化構造は、本の章のように配列された9個の並列画像として提示することが可能である、すなわち、それぞれの階層を互いに備えることが可能である。
【００４５】
本発明は、マルチメディア番組に備えられたワードシンボル情報を備えたストリームも用いて位置特定を用いるために、かつ、ワードシンボル情報の解析がオーディオ/ビデオ情報の解析よりもずっと単純であるために、本発明は番組制作者を多くの作業から解放し、作業の複雑度を緩和するものである。それによって、ユーザが、より単純で、より費用の低い機器によって位置特定動作を比較的容易に行うことが可能になる。更に、音声認識手法を用いて、オーディオ内の対話を、位置特定処理に用いる対象のテキスト情報に変換することも可能になる。
【００４６】
本発明を特定の実施例との組み合わせで説明したが、当業者にとって、前述の部分に基づいて種々の置換、修正及び変更を行うことは明らかである。したがって、こうした置換、修正及び変更は、本特許請求の範囲の趣旨から逸脱せず、本特許請求の範囲の範囲内に収まる場合、本発明に備えるべきである。
【図面の簡単な説明】
【００４７】
【図１】本発明の一実施例による、マルチメディア番組内のコンテンツを位置特定する装置のシステム構成図である。
【図２】本発明の一実施例による、マルチメディア番組内のコンテンツを位置特定する処理の流れ図である。
【図３】本発明の別の実施例による、マルチメディア番組内のコンテンツの位置特定及び特定のセグメントの抽出を行う処理の流れ図である。
【図１】
2007525900.tif 000003
【図２】
2007525900.tif 000004
【図３】
2007525900.tif 000005
【国際調査報告】
2007525900.tif 000006
2007525900.tif 000007
2007525900.tif 000008